(57)【特許請求の範囲】
【請求項１】
入力側光ファイバコード、中間光ファイバコードおよび出力側光ファイバコードの光学的な接続を行うための光配線部であって、
箱状の筐体と、
筐体の内部で奥側の取り付け面に取り付けられた複数のチューブ体からなるチューブ型誘導部と、
コード誘導壁を有し、鉛直方向に伸びる軸支部により回転可能に設けられて水平面を回転するようになされる一のモジュールトレーを多段に複数個を重ねたものであり、筐体の内部であってチューブ型誘導部の手前側に配置収納されるトレー部と、
を備え、
チューブ型誘導部の一のチューブ体の一方の開口部は、チューブ体のチューブ軸に対して傾斜させつつ切断されて開口の断面積が拡げられ、正面から見て目視可能になされた楕円状の傾斜開口部であり、複数のチューブ体の一方の傾斜開口部のそれぞれが全てのトレー部の下側に位置し、
チューブ型誘導部の一のチューブ体の他方の開口部は、一のモジュールトレーの周囲に位置するようになされており、
入力側光ファイバコードの挿通時では、
チューブ型誘導部では、一のチューブ体の一方の傾斜開口部から挿通された入力側光ファイバコードが他方の開口部まで誘導され、
トレー部の一のモジュールトレーでは、一のチューブ体の他方の開口部から導出された一の入力側光ファイバコードがコード誘導壁により誘導されつつ導入され、この入力側光ファイバコードが中間光ファイバコードと接続され、これら入力側光ファイバコードおよび中間光ファイバコードが収容され、中間光ファイバコードと接続される出力側光ファイバコードが導出されることを特徴とする光配線部。
【請求項２】
入力側光ファイバコード、中間光ファイバコードおよび出力側光ファイバコードの光学的な接続を行うための光配線部であって、
箱状の筐体と、
筐体の内部で奥側の取り付け面に取り付けられた複数のチューブ体からなるチューブ型誘導部と、
コード誘導壁を有し、鉛直方向に伸びる軸支部により回転可能に設けられて水平面を回転するようになされる一のモジュールトレーを多段に複数個を重ねたものであり、筐体の内部であってチューブ型誘導部の手前側に配置収納されるトレー部と、
を備え、
チューブ型誘導部の一のチューブ体の一方の開口部は、チューブ体のチューブ軸に対して傾斜させつつ切断されて開口の断面積が拡げられ、正面から見て目視可能になされた楕円状の傾斜開口部であり、複数のチューブ体の一方の傾斜開口部のそれぞれが全てのトレー部の下側に位置し、
チューブ型誘導部の一のチューブ体の他方の開口部は、一のチューブ体がコード誘導壁により誘導されつつ導入されたことにより、一のモジュールトレー内に位置するものであり、複数のチューブ体の他方の開口部のそれぞれが全てのモジュールトレー内にそれぞれ位置するようになされており、
入力側光ファイバコードの挿通時では、
チューブ型誘導部では、一のチューブ体の一方の傾斜開口部から挿通された入力側光ファイバコードが他方の開口部まで誘導され、
トレー部の一のモジュールトレーでは、一のチューブ体から導出された一の入力側光ファイバコードが中間光ファイバコードと接続され、これらチューブ体、入力側光ファイバコードおよび中間光ファイバコードが収容され、中間光ファイバコードと接続される出力側光ファイバコードが導出されることを特徴とする光配線部。
【請求項３】
請求項１または請求項２に記載の光配線部において、
前記チューブ型誘導部の複数の前記チューブ体の前記一方の傾斜開口部を並べて配置固定するチューブ体開口押さえ部を備えることを特徴とする光配線部。
【請求項４】
請求項１〜請求項３の何れか一項に記載の光配線部において、
前記チューブ型誘導部は、複数の前記チューブ体を略等間隔にてＲ付き略Ｌ字状、曲線状または直線状に並べて配置するものであることを特徴とする光配線部。
【発明の詳細な説明】
【技術分野】
【０００１】
本発明は、光ファイバコード同士の接続を行うための光配線部に関する。
【０００２】
光配線に関する従来技術として、例えば、特許文献１（特開２００６−３５３２号公報、発明の名称「余長収納トレイにおける光ファイバ引回し方法及び余長収納トレイ」）に記載の発明が知られている。
【０００３】
特許文献１に記載の従来技術では、効率良く配線するため、スルーチューブを使用するというものである。余長収納トレーを構成する上段トレーと下段トレーとの間に光ファイバを引回して配線するため、上段トレーと下段トレーとの間を、複数の光ファイバを挿通可能な内径を有し且つ光ファイバを挿通時の滑走性を有するスルーチューブで連通し、このスルーチューブ内に光ファイバを挿通して配線する、というものである。
【先行技術文献】
【特許文献】
【０００４】
【特許文献１】特開２００６−３５３２号公報（段落番号［００３３］，［００３４］，図１）
【発明の概要】
【発明が解決しようとする課題】
【０００５】
特許文献１に記載の従来技術は、単体のトレーの中や複数のトレー間でチューブを用いて配線を行うというものであるが、トレー間に留まるものであり、一の光配線部内を総合的に配線するというものではなかった。特に光配線部が複数のトレーを有するとき、配線は容易ではなかった。
【０００６】
そこで、本発明は上記した問題に鑑みてなされたものであり、その目的は、簡易な構成を追加するだけで特に光ファイバコードのモジュールトレーへの誘導を容易にするとともに配線しにくい箇所を通過させて配線できるようにし、配線の作業性の向上や装置の小型化を実現した光配線部を提供することにある。
【課題を解決するための手段】
【０００７】
本発明の請求項１に係る光配線部は、
入力側光ファイバコード、中間光ファイバコードおよび出力側光ファイバコードの光学的な接続を行うための光配線部であって、
箱状の筐体と、
筐体の内部で奥側の取り付け面に取り付けられた複数のチューブ体からなるチューブ型誘導部と、
コード誘導壁を有し、鉛直方向に伸びる軸支部により回転可能に設けられて水平面を回転するようになされる一のモジュールトレーを多段に複数個を重ねたものであり、筐体の内部であってチューブ型誘導部の手前側に配置収納されるトレー部と、
を備え、
チューブ型誘導部の一のチューブ体の一方の開口部は、チューブ体のチューブ軸に対して傾斜させつつ切断されて開口の断面積が拡げられ、正面から見て目視可能になされた楕円状の傾斜開口部であり、複数のチューブ体の一方の傾斜開口部のそれぞれが全てのトレー部の下側に位置し、
チューブ型誘導部の一のチューブ体の他方の開口部は、一のモジュールトレーの周囲に位置するようになされており、
入力側光ファイバコードの挿通時では、
チューブ型誘導部では、一のチューブ体の一方の傾斜開口部から挿通された入力側光ファイバコードが他方の開口部まで誘導され、
トレー部の一のモジュールトレーでは、一のチューブ体の他方の開口部から導出された一の入力側光ファイバコードがコード誘導壁により誘導されつつ導入され、この入力側光ファイバコードが中間光ファイバコードと接続され、これら入力側光ファイバコードおよび中間光ファイバコードが収容され、中間光ファイバコードと接続される出力側光ファイバコードが導出されることを特徴とする。
【０００８】
また、本発明の請求項２に係る光配線部は、
入力側光ファイバコード、中間光ファイバコードおよび出力側光ファイバコードの光学的な接続を行うための光配線部であって、
箱状の筐体と、
筐体の内部で奥側の取り付け面に取り付けられた複数のチューブ体からなるチューブ型誘導部と、
コード誘導壁を有し、鉛直方向に伸びる軸支部により回転可能に設けられて水平面を回転するようになされる一のモジュールトレーを多段に複数個を重ねたものであり、筐体の内部であってチューブ型誘導部の手前側に配置収納されるトレー部と、
を備え、
チューブ型誘導部の一のチューブ体の一方の開口部は、チューブ体のチューブ軸に対して傾斜させつつ切断されて開口の断面積が拡げられ、正面から見て目視可能になされた楕円状の傾斜開口部であり、複数のチューブ体の一方の傾斜開口部のそれぞれが全てのトレー部の下側に位置し、
チューブ型誘導部の一のチューブ体の他方の開口部は、一のチューブ体がコード誘導壁により誘導されつつ導入されたことにより、一のモジュールトレー内に位置するものであり、複数のチューブ体の他方の開口部のそれぞれが全てのモジュールトレー内にそれぞれ位置するようになされており、
入力側光ファイバコードの挿通時では、
チューブ型誘導部では、一のチューブ体の一方の傾斜開口部から挿通された入力側光ファイバコードが他方の開口部まで誘導され、
トレー部の一のモジュールトレーでは、一のチューブ体から導出された一の入力側光ファイバコードが中間光ファイバコードと接続され、これらチューブ体、入力側光ファイバコードおよび中間光ファイバコードが収容され、中間光ファイバコードと接続される出力側光ファイバコードが導出されることを特徴とする。
【０００９】
また、本発明の請求項３に係る光配線部は、
請求項１または請求項２に記載の光配線部において、
前記チューブ型誘導部の複数の前記チューブ体の前記一方の傾斜開口部を並べて配置固定するチューブ体開口押さえ部を備えることを特徴とする。
【００１０】
また、本発明の請求項４に係る光配線部は、
請求項１〜請求項３の何れか一項に記載の光配線部において、
前記チューブ型誘導部は、複数の前記チューブ体を略等間隔にてＲ付き略Ｌ字状、曲線状または直線状に並べて配置するものであることを特徴とする。
【発明の効果】
【００１２】
本発明によれば、簡易な構成を追加するだけで特に光ファイバコードのモジュールトレーへの誘導を容易にするとともに配線しにくい箇所を通過させて配線できるようにし、配線の作業性の向上や装置の小型化を実現した光配線部を提供することができる。
【図面の簡単な説明】
【００１３】
【図１】本発明を実施するための形態の光配線部の外観図であり、図１（ａ）は正面図、図１（ｂ）は平面図、図１（ｃ）は底面図、図１（ｄ）は側面図である。
【図２】本発明を実施するための形態の光配線部の内観図であり、図２（ａ）は内部正面図、図２（ｂ）は内部平面図、図２（ｃ）は側面図である。
【図３】本発明を実施するための形態の光配線部のチューブ型誘導部とトレー部との位置関係を説明する説明図である。
【図４】本発明を実施するための形態の光配線部のチューブ型誘導部およびチューブ体開口押さえ部の詳細を説明する説明図であり、図４（ａ）はチューブ型誘導部の説明図、図４（ｂ）はチューブ体開口押さえ部の拡大図、図４（ｃ）はチューブ体開口押さえ部の断面を示すＡ−Ａ矢視図、図４（ｄ）はチューブ体の断面を示すＢ−Ｂ矢視図である。
【図５】他の形態のチューブ型誘導部の説明図であり、図５（ａ）は円弧状のチューブ型誘導部の説明図、図５（ｂ）は直線状のチューブ型誘導部の説明図である。
【図６】発明を実施するための形態の光配線部のモジュールトレーの構成図であり、図６（ａ）は平面図、図６（ｂ）は背面図、図６（ｃ）は正面図、図６（ｄ）は側面図である。
【図７】モジュールトレーの実際の接続形態を説明する説明図である。
【図８】モジュールトレーの実際の接続形態を説明する説明図である。
【図９】本発明を実施するための形態の光配線部のモジュールトレーの回転構造の説明図であり、図９（ａ）は光配線部の内部構造の平面図、図９（ｂ）は回転軸用支持部を取り去った内部構造の平面図である。
【図１０】本発明を実施するための形態の光配線部のモジュールトレーの回転構造の説明図であり、図１０（ａ）は回転軸用支持部の平面図、図１０（ｂ）は積層されたモジュールトレーの軸支部の説明図である。
【図１１】本発明を実施するための形態の光配線部のモジュールトレーの回転状態の説明図である。
【図１２】モジュールトレーの支持状態の説明図であり、図１２（ａ）は支持板によるトレー本体の支持を説明するＣ−Ｃ矢視図、図１２（ｂ）は支持板によるトレー本体の支持を説明する拡大図である。
【図１３】モジュールトレー上の入力側光ファイバコード、中間光ファイバコード、出力側光ファイバコードの配線状態の説明図である。
【発明を実施するための形態】
【００１４】
続いて、本発明を実施するための形態の光配線部について図を参照しつつ以下に説明する。本形態の光配線部１００は、筐体１０を備え、他の構成は後述するが筐体１０内に収容されている。筐体１０は図１の外観図で示すように箱体として形成されるものであり、詳しくは、筐体本体１１、天板１２、底板１３、ケーブル導入口１４、扉部１５、抜き差し蝶番１６、銘板１７、カムロック１８を備える。
【００１５】
筐体本体１１は、図２で示すように、平面から視たとき、板体の取り付け面１１ａの両側で略垂直に折り曲げられて略コ字状に形成されている。この筐体本体１１の端部には、さらに補強リブ１１ｂが形成されており、堅牢な構造としている。
天板１２は、図１（ｂ）で示すように、筐体本体１１の上面に固着される板体である。
【００１６】
底板１３は、図１（ｃ）で示すように、筐体本体１１の下面に固着される板体である。
ケーブル導入口１４は、底板１３に形成される導入口であり、後述するが光ファイバケーブル１が導入される。
【００１７】
扉部１５は、筐体本体１１の前面に開閉可能に設けられる。扉部１５は、特に、図１（ｂ），図１（ｄ）で示すように側部や上部では板体が突出して形成されているが、図１（ｃ）で示すように下部には板体はない。
抜き差し蝶番１６は、筐体本体１１に対して扉部１５を開閉可能に支持する。なお、扉部１５が開いた状態で扉部１５を持ち上げると抜き差し蝶番１６の支軸部が外れて扉部１５を取り外すことができ、図２のような状態になる。特に配線作業時に扉部１５を取り外して行うことで、作業性を向上させている。
【００１８】
銘板１７は、扉部１５の正面に設けられる。この銘板には、例えば「光配線箱」等の名称を表示する。
カムロック１８は、扉部１５に固定されており、施錠すると内部のカムが回転して補強リブ１１ｂに係止されて扉部１５を開けない状態にし、解錠すると内部カムが補強リブ１１ｂから外れて扉部１５を開くことができるようにする。
光配線部１００の外観はこのようなものである。
【００１９】
続いて、光配線部１００の内部構造について説明する。
光配線部１００は、図２で示すように、さらに防護カバー２０、チューブ型誘導部３０、チューブ体開口押さえ部４０、テンションメンバ固定金具５０、ケーブル固定金具６０、コード固定金具７０、トレー部８０を備える。
【００２０】
防護カバー２０は、トレー部８０の前側に取り付けられており、トレー部８０内の光ファイバコードへ外部から衝撃力が加わる事態を防止する。なお、防護カバー２０は、筐体本体１１に対して着脱可能に構成されており、後述するが、例えば、トレー部８０が有するモジュールトレー８１のアダプタに対して外部コネクタや内部コネクタを挿抜するときに防護カバー２０を外してモジュールトレー８１を手前側まで回転させることで接続配線作業が容易になる。
【００２１】
チューブ型誘導部３０は、筐体部１０の筐体本体１１の取り付け面１１ａに取り付けられる複数のチューブ体３１からなるものである。このチューブ体３１は、光ファイバコードの挿通時に円滑に移動させるように内部の摩擦力が低いチューブである。チューブ型誘導部３０は、例えば、図３で示すように配置される。図３で示すように、チューブ体３１の一方の下側（入力側）の開口部３２から挿通された入力側光ファイバコードを他方の上側（トレー側）の開口部３３まで誘導する。この開口部３３の付近にはモジュールトレー８１の入口が配置されており、モジュールトレー８１の入力側まで入力側光ファイバコードを誘導する機能を有している。
【００２２】
なお、図３ではチューブ型誘導部３０の形状と、トレー部８０と、の位置関係を明瞭にするため、隠れ線を使用することなく、両者を図示している。トレー部８０を取り去った場合、チューブ型誘導部３０の形状は、図４（ａ）で示すようになる。
【００２３】
本形態では図４（ａ）で示すように一のチューブ体３１にＲ部３４が形成されたＲ部付略Ｌ字状のチューブ体であり、このチューブ体を略等間隔で並べて配置したチューブ型誘導部である。しかしながら、図５（ａ）で示すように、円弧状（曲線状）のチューブ体を略等間隔で並べて配置したチューブ型誘導部としたり、図５（ｂ）で示すように、直線状のチューブ体を略等間隔で並べて配置したチューブ型誘導部としても良い。なお、図５（ａ），（ｂ）では一部間隔が離れているが、全部等間隔にしても良い。チューブ体が弾性であるため事情に応じて適宜形状にて配線される。これら形状は光ファイバコードが限界曲率半径を超えて折れ曲がる事態を防止するように緩やかな円弧状の曲線や直線を採用するものであり、光ファイバコードに対して負担がかからないようにして折り曲げや破損を防止する。
【００２４】
チューブ体開口押さえ部４０は、チューブ体３１の先端を固定し、チューブ体３１の一方の開口部３２を並べて配置する。チューブ体開口押さえ部４０は、図４（ｂ），図４（ｃ）のチューブ体がない箇所について示すように、嵌め込み孔部４１、押さえ部側開口部４２を備えており、図４（ｄ）のチューブ体がある箇所について示すように、この嵌め込み孔部４１にチューブ体３１が嵌め込まれ、切断により開口部３２を形成して固定されるというものである。
【００２５】
上記のようなチューブ体３１は一方の開口部３２が図４（ｂ）でも明らかなようにチューブ体開口押さえ部４０により並んで配置決定されている。なお、チューブ体３１の開口部３２は、図４（ｂ），図４（ｄ）でも明らかなようにチューブ体３１のチューブ軸（チューブの中心を結ぶ軸）に対して斜めに切断形成されており、開口部３２の形状が楕円形となっている。このため、チューブ体３１のチューブ軸に対して垂直に切断した開口部３２と比較すると、楕円形のチューブ体３１の開口部３２はその断面積を増大させており、光ファイバコードを挿通し易くしている。特に挿入側となる下側の開口部３２ではこのような楕円形の開口とすることが好ましい。
【００２６】
テンションメンバ固定金具５０は、図２（ａ）で示すように筐体本体１１の取り付け面１１ａに固定されており、後述するが光ファイバケーブルから引き出されたテンションメンバを固定する。
ケーブル固定金具６０は、図２（ａ）で示すように筐体本体１１の取り付け面１１ａに固定されており、後述するがケーブル導入口から引き込まれた入力側の光ファイバケーブルを固定する。
【００２７】
コード固定金具７０は、図２（ａ）で示すように筐体本体１１の取り付け面１１ａに固定されており、後述するがトレー部８０から引き出された出力側光ファイバコードを固定する。
【００２８】
トレー部８０は、図２（ａ），図３で示すよに、複数個（本形態では例示的に１２個としている）のモジュールトレー８１を上下方向に積層してなるものである。
モジュールトレー８１は、図６で示すように、トレー本体８１１、アダプタパネル８１２、回転軸８１３、作業口８１４、チューブ押さえ８１５、コード誘導壁８１６、コード押さえ部８１７、アダプタ８１８、トレー用銘板８１９、融着スリーブホルダ８２０、経路８２１を備える
【００２９】
トレー本体８１１は、樹脂製の堅牢な板体である。
アダプタパネル８１２は、アダプタ８１８を保持するパネルであり、トレー本体８１１に固定される。
【００３０】
回転軸８１３は、トレー本体８１１と一体に形成される円柱体であり、後述するが軸支されてモジュールトレー８１を回転させるように支持する。
作業口８１４は、アダプタ８１８に対して外部用コネクタを接続するときに手指を入れて作業できるようにしている。
【００３１】
チューブ押さえ８１５は、チューブ型誘導部３０の一本のチューブ体３１を押さえる機能を有している。このチューブ押さえ８１５はチューブ体３１がモジュールトレー８１内へ引き込まれる場合に用いられるが、チューブ体３１の開口部３３がモジュールトレー８１の周囲に設けられる場合、開口部３３から引き出された入力側光ファイバコードを押さえることとなる。後述するが、本形態ではチューブ体３１の開口部をモジュールトレー８１の周囲に配置し、モジュールトレー８１内へは入力側光ファイバコードを進入させるようにする。
コード誘導壁８１６は、チューブ体３１から引き出された入力側光ファイバコードや中間光ファイバコードの余長を誘導し、楕円状の巻体として形成する機能を有している。
【００３２】
コード押さえ部８１７は、コード誘導壁８１６で楕円状に形成される入力側光ファイバコード２や中間光ファイバコード３を押さえて楕円形状として安定させる機能を有している。
アダプタ８１８は、内側で中間光ファイバコード３の先端に設けられた内部用コネクタ５を連結する。また、外側で出力側光ファイバコード７の先端に設けられた外部用コネクタ６を連結する。アダプタ８１８は、これら内部用コネクタ５および外部用コネクタ６を光学的に接続する。図７，図８は実際の接続形態を表すモジュールトレー８１である。コネクタは各種あり、図７，図８で示すように適宜採用することができる。
【００３３】
トレー用銘板８１９はトレーに関する情報を表すものであり、例えば、トレーの番号を表す。
融着スリーブホルダ８２０は、チューブ体３１から引き出された入力側光ファイバコード２の先端と中間光ファイバコード３の先端とを融着接続した箇所を覆う融着スリーブ４を保持固定する。
【００３４】
経路８２１は、外部用コネクタ６に接続されている出力用光ファイバコード７を誘導する経路である。
モジュールトレー８１はこのようなものである。
【００３５】
このようなモジュールトレー８１は、図９，図１０で示すような回転軸用支持部８２にて支持される。回転軸用支持部８２は、筐体本体１１の取り付け面１１ａから突出するように設けられており、その先端にある孔部８２ａにモジュールトレー８１の回転軸８１３が枢支され、回転軸用支持部８２に対してモジュールトレー８１が図１１で示すように矢印ａ方向に回動することとなる。配線作業時には前側へ回転させて筐体１０からモジュールトレー８１が突出する状態とし、配線作業を容易に行えるようにすることができる。
【００３６】
このようなモジュールトレー８１は、収容時でも配線作業時でも傾斜することなく安定した状態を維持している。収容時では、図９（ｂ）で示すようにトレー本体８１１の先端部８１１ａが先端保持部８３の保持板８３ａ上に位置するとともにトレー本体８１１の一部が支持部材１１ｃ上に位置して支持されており、安定した状態となっている。
また、配線時では図１１，図１２で示すようにトレー本体８１１の先端部８１１ａやその周辺が、取り付け面１１ａから突出する支持板１１ｄの上に位置しており、モジュールトレー８１が安定した状態となっている。
【００３７】
このようなモジュールトレー８１を、図２で示すように複数個（本形態では例示的に１２個）重ねて配置している。回転軸８１３は、図１０（ｂ）に示すように、円柱体形状である軸支部８２２の上側から突出している。一のモジュールトレー８１では、軸支部８２２と回転軸８１３とにより多段円柱状に形成される。軸支部８２２の下側には他のモジュールトレー８１の回転軸８１３が枢支される穴部が形成されている。この穴部に他のモジュールトレー８１の回転軸８１３を枢支し、図１０（ｂ）で示すように複数重ねて配置するとともに軸支部８２２を円柱状に形成する。一番下の軸支部８２２の穴部には、下側の回転軸用支持部８２の回転軸８１３を枢支する。積層された軸支部８２２は鉛直方向に伸びる状態であり、モジュールトレー８１は水平面を回転する。これにより、全てのモジュールトレー８１を回動可能に配置することができる。
【００３８】
続いて、実際の配線について説明する。図１（ｃ）で示すように、下側の底板１３に形成したケーブル導入口１４から光ファイバケーブル１を引き込む。光ファイバケーブル１は、図３で示すように複数本（本形態では例示的に６本）であり、ケーブル固定金具６０で全ての光ファイバケーブル１を固定する。さらに光ファイバケーブル１の内部からテンションメンバを引き出し、一のテンションメンバに対し一のテンションメンバ固定金具５０で固定するものであり、全てのテンションメンバが固定される。
【００３９】
この光ファイバケーブル１からそれぞれ引き出された入力側光ファイバコード２は、チューブ型誘導部３０により、モジュールトレー８１まで誘導される。本形態では例示的に一の光ファイバケーブル１から２本の入力側光ファイバコード２が引き出され、１本のチューブ体３１に一本の入力側光ファイバコード２が挿通されるものとする。しかしながら、１本の入力側光ファイバコード２は勿論のこと、３本，４本というようにチューブ体３１に挿通可能な複数本の入力側光ファイバコード２を入力することが可能である。
【００４０】
下側の開口部３２から少しづつ入力側光ファイバコード２を押し入れて行き、チューブ体３１の他方の開口部３３まで到達する。このため配線作業が極めて容易になっている。そして、チューブ体３１の他方の開口部３３が図１３でも明らかなようにモジュールトレー８１の入口部周辺まで到達する。開口部３３からは入力側光ファイバコード２が引き出される。入力側光ファイバコード２の一端は中間光ファイバコード３の一端と融着接続され、融着スリーブ４により保護されている。中間光ファイバコード３は余長を楕円状に配置するとともに他端に内部コネクタ５が接続されており、アダプタ８１８に内部用コネクタ５が連結される。
【００４１】
他方では出力側光ファイバコード７が接続されている外部用コネクタ６がアダプタ８１８に連結されており、中間光ファイバコード３と出力側光ファイバコード７とは光学的に接続されている。この出力側光ファイバコード７は集線部２３ｂを経て下側へ向けて配線される。出力側光ファイバコード７は、図３で示すように、コード固定金具７０により集線状態にて固定されており、整理された配線状態とすることができる。なお、図示しないが多数ある出力側光ファイバコード７を図示しない結束バンドで結束してより整理された配線とすることができる。そして、図示しないが、ケーブル導入口１４を経て外側へ引き出される。このような配線は全てのモジュールトレー８１にて行われる。
【００４２】
先に説明した図７，図８は実際の接続形態を表すモジュールトレー８１である。融着スリーブ４により入力側光ファイバコード２の一端と中間光ファイバコード３の一端とが接続される。中間光ファイバコード３は余長がモジュールトレー８１内に収容され、中間光ファイバコード３の他端は内部用コネクタ５が接続されている。この内部用コネクタ５をアダプタ８１８に接続する。アダプタ８１８の対向する位置には外部用コネクタ６が接続されている。外部用コネクタ６には出力側光ファイバコード７が接続されている。この出力側光ファイバコード７はＵ字状に設けられるとともに経路、集線部を経て下側に引き出される。
【００４３】
以上本発明の光配線部について説明した。
なお、本形態ではモジュールトレー８１の周囲でチューブ体３１の開口部３３が形成されるものとして説明したが。このような形態に代えて、一本のチューブ体３１が一のモジュールトレー８１のチューブ押さえ部８１５まで到達するようにしても良い。弾性体であるチューブ体３１はモジュールトレー８１が回転するときでも変形して追従するため、モジュールトレー８１の移動を妨げるような事態は生じない。また、チューブ体３１に挿通された入力側光ファイバコード２が確実にモジュールトレー８１内へ到達するという利点もある。
【００４４】
このような光配線部では以下のような利点が見込める。
（１）特に配線ルートを予め確定させているため、作業者によらず整理された配線を実現することができる。
（２）また、配線ルートとして複数のルートを所望位置まで設定することができるため、多数のモジュールトレーを採用しても配線作業を確実に行うことができ、この点でも作業者によらず整理された配線を実現することができる。
【００４５】
（３）また、配線ルートとしてチューブ体の両端の開口部以外はトレー部の裏側などに配置すれば良く、見過ごされていた空間を活用することができるようになり、光配線部の小型化を実現している。
（４）また、心線増設する際には、新たな光ファイバを既存のチューブ体内に挿通できるので、効率よく増設配線できる
【産業上の利用可能性】
【００４６】
本発明は、光ファイバケーブルと光通信機器をつなぐインターフェースとして、光ケーブルの中継、光ケーブルから光コードへの変換、回線の切替・切分けなどを行う光配線部として適用することができる。
【符号の説明】
【００４７】
１００：光配線部
１０：筐体
１１：筐体本体
１１ａ：取り付け面
１１ｂ：補強リブ
１１ｃ：支持部材
１１ｄ：支持板
１２：天板
１３：底板
１４：ケーブル導入口
１５：扉部
１６：抜き差し蝶番
１７：銘板
１８：カムロック
２０：防護カバー
３０：チューブ型誘導体
３１：チューブ体
３２：開口部
３３：開口部
３４：Ｒ部
４０：チューブ体開口押さえ部
４１：嵌め込み孔部
４２：押さえ部側開口部
５０：テンションメンバ固定金具
６０：ケーブル固定金具
７０：コード固定金具
８０：トレー部
８１：モジュールトレー
８１１：トレー本体
８１１ａ：先端部
８１２：アダプタパネル
８１３：回転軸
８１４：作業口
８１５：チューブ押さえ
８１６：コード誘導壁
８１７：コード押さえ部
８１８：アダプタ
８１９：トレー用銘板
８２０：融着スリーブホルダ
８２１：経路
８２２：軸支部
８２：回転軸用支持部
８３：先端保持部
８３ａ：保持板
１：光ファイバケーブル
２：入力側光ファイバコード
３：中間光ファイバコード
４：融着スリーブ
５：内部用コネクタ
６：外部用コネクタ
７：出力側光ファイバコード
【図１】
0005901150.tif 000002
【図２】
0005901150.tif 000003
【図３】
0005901150.tif 000004
【図４】
0005901150.tif 000005
【図５】
0005901150.tif 000006
【図６】
0005901150.tif 000007
【図７】
0005901150.tif 000008
【図８】
0005901150.tif 000009
【図９】
0005901150.tif 000010
【図１０】
0005901150.tif 000011
【図１１】
0005901150.tif 000012
【図１２】
0005901150.tif 000013
【図１３】
0005901150.tif 000014